(57)【特許請求の範囲】
【請求項１】
階層構造を有する複数のディレクトリを含むファイルシステムを有するとともに、当該複数のディレクトリの１つに配置された文書を記憶する記憶装置を備える文書処理装置であって、
前記文書に対して、当該文書に含まれる情報の漏えいしやすさを表す危険度である文書危険度を算出する文書危険度算出手段と、
前記ディレクトリに対して、当該ディレクトリに配置された文書からの情報の漏えいしやすさを表す危険度であるディレクトリ危険度を算出するディレクトリ危険度算出手段と、
前記ディレクトリの状態が、当該ディレクトリに配置された文書から情報が漏えいしやすい状態である危険状態、当該ディレクトリに配置された文書から情報が漏えいしにくい状態である安全状態、及び、当該危険状態及び当該安全状態以外の状態である中間状態、のいずれであるかを、前記算出されたディレクトリ危険度に基づいて特定するディレクトリ状態特定手段と、
前記文書の状態が、当該文書から情報が漏えいしやすい状態である危険状態、及び、当該危険状態以外の状態である非危険状態、のいずれであるかを、前記特定されたディレクトリの状態と、前記算出された文書危険度と、に基づいて特定する文書状態特定手段と、
を備える文書処理装置。
【請求項２】
請求項１に記載の文書処理装置であって、
前記文書状態特定手段は、前記ディレクトリの状態が、前記危険状態又は前記中間状態であると特定された場合において、当該ディレクトリに配置された文書に対して算出された前記文書危険度が、当該ディレクトリに対して算出された前記ディレクトリ危険度よりも大きいとき、当該文書の状態が前記危険状態であると特定するように構成された文書処理装置。
【請求項３】
請求項１又は請求項２に記載の文書処理装置であって、
前記文書状態特定手段は、前記ディレクトリの状態が、前記危険状態であると特定された場合、当該ディレクトリに配置された文書の状態が前記危険状態であると特定するように構成された文書処理装置。
【請求項４】
請求項１乃至請求項３のいずれか一項に記載の文書処理装置であって、
前記文書状態特定手段は、前記文書に対して算出された前記文書危険度が予め設定された文書危険閾値よりも大きい場合、当該文書の状態が前記危険状態であると特定するように構成された文書処理装置。
【請求項５】
請求項１乃至請求項４のいずれか一項に記載の文書処理装置であって、
状態が前記危険状態であると特定された前記文書をユーザに通知する危険文書通知手段を備える文書処理装置。
【請求項６】
請求項１乃至請求項５のいずれか一項に記載の文書処理装置であって、
ユーザにより入力され、且つ、配置文書としての前記文書を前記複数のディレクトリの１つである配置先ディレクトリに新たに配置する旨を指示する指示情報を受け付ける指示情報受付手段と、
前記指示情報が受け付けられた場合、前記配置文書を前記配置先ディレクトリに新たに配置するための配置処理を実行する配置処理実行手段と、
を備える文書処理装置。
【請求項７】
請求項６に記載の文書処理装置であって、
前記配置文書の状態が前記危険状態であると特定され、且つ、前記配置先ディレクトリの状態が前記危険状態又は前記中間状態であると特定された場合、前記配置処理の実行を抑制する第１の配置処理抑制手段を備える文書処理装置。
【請求項８】
請求項６又は請求項７に記載の文書処理装置であって、
前記配置先ディレクトリの状態が前記危険状態であると特定された場合、前記配置処理の実行を抑制する第２の配置処理抑制手段を備える文書処理装置。
【請求項９】
階層構造を有する複数のディレクトリを含むファイルシステムを有するとともに、当該複数のディレクトリの１つに配置された文書を記憶する記憶装置を備える文書処理装置に適用され、
前記文書に対して、当該文書に含まれる情報の漏えいしやすさを表す危険度である文書危険度を算出し、
前記ディレクトリに対して、当該ディレクトリに配置された文書からの情報の漏えいしやすさを表す危険度であるディレクトリ危険度を算出し、
前記ディレクトリの状態が、当該ディレクトリに配置された文書から情報が漏えいしやすい状態である危険状態、当該ディレクトリに配置された文書から情報が漏えいしにくい状態である安全状態、及び、当該危険状態及び当該安全状態以外の状態である中間状態、のいずれであるかを、前記算出されたディレクトリ危険度に基づいて特定し、
前記文書の状態が、当該文書から情報が漏えいしやすい状態である危険状態、及び、当該危険状態以外の状態である非危険状態、のいずれであるかを、前記特定されたディレクトリの状態と、前記算出された文書危険度と、に基づいて特定する、文書処理方法。
【請求項１０】
階層構造を有する複数のディレクトリを含むファイルシステムを有するとともに、当該複数のディレクトリの１つに配置された文書を記憶する記憶装置を備える情報処理装置に、
前記文書に対して、当該文書に含まれる情報の漏えいしやすさを表す危険度である文書危険度を算出する文書危険度算出手段と、
前記ディレクトリに対して、当該ディレクトリに配置された文書からの情報の漏えいしやすさを表す危険度であるディレクトリ危険度を算出するディレクトリ危険度算出手段と、
前記ディレクトリの状態が、当該ディレクトリに配置された文書から情報が漏えいしやすい状態である危険状態、当該ディレクトリに配置された文書から情報が漏えいしにくい状態である安全状態、及び、当該危険状態及び当該安全状態以外の状態である中間状態、のいずれであるかを、前記算出されたディレクトリ危険度に基づいて特定するディレクトリ状態特定手段と、
前記文書の状態が、当該文書から情報が漏えいしやすい状態である危険状態、及び、当該危険状態以外の状態である非危険状態、のいずれであるかを、前記特定されたディレクトリの状態と、前記算出された文書危険度と、に基づいて特定する文書状態特定手段と、
を実現させるためのプログラム。
【発明の詳細な説明】
【技術分野】
【０００１】
本発明は、文書を記憶する記憶装置を備える文書処理装置に関する。
【背景技術】
【０００２】
文字列、及び／又は、図形等を含む文書（を表す情報）を記憶する記憶装置を備える文書処理装置が知られている。この種の文書処理装置の一つとして、特許文献１に記載の文書処理装置は、階層（ツリー）構造を有する複数のディレクトリ（フォルダ）を含むファイルシステムを有する。
【０００３】
文書処理装置は、各文書をいずれかのディレクトリに配置した状態にて当該文書を記憶する。文書処理装置は、ディレクトリ毎に、当該ディレクトリからの情報の漏えいのしやすさを表すディレクトリ危険度を算出する。そして、文書処理装置は、算出されたディレクトリ危険度が高い順に並べてディレクトリの一覧を表示する。これによれば、ユーザは、情報が漏えいしやすいディレクトリを容易に認識することができる。
【先行技術文献】
【特許文献】
【０００４】
【特許文献１】特開２００６−２０９６４９号公報
【発明の概要】
【発明が解決しようとする課題】
【０００５】
ところで、文書からの情報の漏えいのしやすさを表す文書危険度は、文書に含まれる情報によって異なる。例えば、文書がテキストデータである場合、文書がバイナリデータである場合よりも、情報が漏えいしやすい。従って、情報が漏えいしにくいディレクトリに配置されている文書であっても、文書危険度が比較的高い場合には、当該文書の状態は、情報が漏えいしやすい危険状態である、と言うことができる。
【０００６】
しかしながら、上記文書処理装置は、ディレクトリ毎にディレクトリ危険度に応じた情報を出力しているので、状態が危険状態である文書を高い精度にて特定することができない虞があった。
【０００７】
このため、本発明の目的は、上述した課題である「状態が危険状態である文書を高い精度にて特定することができない場合が生じること」を解決することが可能な文書処理装置を提供することにある。
【課題を解決するための手段】
【０００８】
かかる目的を達成するため本発明の一形態である文書処理装置は、階層構造を有する複数のディレクトリを含むファイルシステムを有するとともに、当該複数のディレクトリの１つに配置された文書を記憶する記憶装置を備える装置である。
【０００９】
更に、この文書処理装置は、
上記文書に対して、当該文書に含まれる情報の漏えいしやすさを表す危険度である文書危険度を算出する文書危険度算出手段と、
上記ディレクトリに対して、当該ディレクトリに配置された文書からの情報の漏えいしやすさを表す危険度であるディレクトリ危険度を算出するディレクトリ危険度算出手段と、
上記ディレクトリの状態が、当該ディレクトリに配置された文書から情報が漏えいしやすい状態である危険状態、当該ディレクトリに配置された文書から情報が漏えいしにくい状態である安全状態、及び、当該危険状態及び当該安全状態以外の状態である中間状態、のいずれであるかを、上記算出されたディレクトリ危険度に基づいて特定するディレクトリ状態特定手段と、
上記文書の状態が、当該文書から情報が漏えいしやすい状態である危険状態、及び、当該危険状態以外の状態である非危険状態、のいずれであるかを、上記特定されたディレクトリの状態と、上記算出された文書危険度と、に基づいて特定する文書状態特定手段と、
を備える。
【００１０】
また、本発明の他の形態である文書処理方法は、
階層構造を有する複数のディレクトリを含むファイルシステムを有するとともに、当該複数のディレクトリの１つに配置された文書を記憶する記憶装置を備える文書処理装置に適用され、
上記文書に対して、当該文書に含まれる情報の漏えいしやすさを表す危険度である文書危険度を算出し、
上記ディレクトリに対して、当該ディレクトリに配置された文書からの情報の漏えいしやすさを表す危険度であるディレクトリ危険度を算出し、
上記ディレクトリの状態が、当該ディレクトリに配置された文書から情報が漏えいしやすい状態である危険状態、当該ディレクトリに配置された文書から情報が漏えいしにくい状態である安全状態、及び、当該危険状態及び当該安全状態以外の状態である中間状態、のいずれであるかを、上記算出されたディレクトリ危険度に基づいて特定し、
上記文書の状態が、当該文書から情報が漏えいしやすい状態である危険状態、及び、当該危険状態以外の状態である非危険状態、のいずれであるかを、上記特定されたディレクトリの状態と、上記算出された文書危険度と、に基づいて特定する方法である。
【００１１】
また、本発明の他の形態であるプログラムは、
階層構造を有する複数のディレクトリを含むファイルシステムを有するとともに、当該複数のディレクトリの１つに配置された文書を記憶する記憶装置を備える情報処理装置に、
上記文書に対して、当該文書に含まれる情報の漏えいしやすさを表す危険度である文書危険度を算出する文書危険度算出手段と、
上記ディレクトリに対して、当該ディレクトリに配置された文書からの情報の漏えいしやすさを表す危険度であるディレクトリ危険度を算出するディレクトリ危険度算出手段と、
上記ディレクトリの状態が、当該ディレクトリに配置された文書から情報が漏えいしやすい状態である危険状態、当該ディレクトリに配置された文書から情報が漏えいしにくい状態である安全状態、及び、当該危険状態及び当該安全状態以外の状態である中間状態、のいずれであるかを、上記算出されたディレクトリ危険度に基づいて特定するディレクトリ状態特定手段と、
上記文書の状態が、当該文書から情報が漏えいしやすい状態である危険状態、及び、当該危険状態以外の状態である非危険状態、のいずれであるかを、上記特定されたディレクトリの状態と、上記算出された文書危険度と、に基づいて特定する文書状態特定手段と、
を実現させるためのプログラムである。
【発明の効果】
【００１２】
本発明は、以上のように構成されることにより、状態が危険状態である文書を高い精度にて特定することができる。
【図面の簡単な説明】
【００１３】
【図１】本発明の第１実施形態に係る文書処理装置の機能を示したブロック図である。
【図２】本発明の第１実施形態に係る文書処理装置のＣＰＵが実行する権限度算出プログラムを示したフローチャートである。
【図３】本発明の第１実施形態に係る文書処理装置が算出する文書危険度及びディレクトリ危険度を概念的に示した説明図である。
【図４】本発明の第１実施形態に係る文書処理装置のＣＰＵが実行する状態特定プログラムを示したフローチャートである。
【図５】本発明の第１実施形態に係る文書処理装置が算出する文書危険度及びディレクトリ危険度を概念的に示した説明図である。
【図６】本発明の第１実施形態に係る文書処理装置のＣＰＵが実行する配置処理実行プログラムを示したフローチャートである。
【図７】本発明の第２実施形態に係る文書処理装置の機能を示したブロック図である。
【発明を実施するための形態】
【００１４】
以下、本発明に係る、文書処理装置、文書処理方法、及び、プログラム、の各実施形態について図１〜図７を参照しながら説明する。
【００１５】
＜第１実施形態＞
（構成）
図１に示したように、第１実施形態に係る文書処理装置１は、情報処理装置としてのパーソナル・コンピュータである。なお、文書処理装置１は、サーバ装置、携帯電話端末、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄａｔａ  Ａｓｓｉｓｔａｎｃｅ、Ｐｅｒｓｏｎａｌ  Ｄｉｇｉｔａｌ  Ａｓｓｉｓｔａｎｔ）、カーナビゲーション端末、又は、ゲーム端末等であってもよい。
【００１６】
文書処理装置１は、図示しない中央処理装置（ＣＰＵ；Ｃｅｎｔｒａｌ  Ｐｒｏｃｅｓｓｉｎｇ  Ｕｎｉｔ）、記憶装置（メモリ及びハードディスク駆動装置（ＨＤＤ；Ｈａｒｄ  Ｄｉｓｋ  Ｄｒｉｖｅ））、入力装置及び出力装置を備える。文書処理装置１は、階層構造を有する複数のディレクトリを含むファイルシステムを有する。
【００１７】
記憶装置は、ファイルシステムに従って、複数のディレクトリの１つに配置されたファイルを記憶する。各ディレクトリは、名前（ディレクトリ名）を有する。また、各ディレクトリに対して、当該ディレクトリへのアクセス（読み出し、及び、書き込み等）を許可するユーザを定めるアクセス権限が設定されている。同様に、各ファイルは、名前（ファイル名）を有する。また、各ファイルに対して、当該ファイルへのアクセス（読み出し、及び、書き込み等）を許可するユーザを定めるアクセス権限が設定されている。
【００１８】
出力装置は、ディスプレイを有する。出力装置は、ＣＰＵから出力された画像情報に基づいて、文字及び図形等からなる画像をディスプレイに表示させる。
入力装置は、キーボード及びマウスを有する。文書処理装置１は、キーボード及びマウスを介して、ユーザの操作に基づく情報が入力されるように構成されている。
【００１９】
文書処理装置１は、記憶装置に記憶されているプログラムをＣＰＵが実行することにより、後述する機能を実現するように構成されている。
【００２０】
（機能）
図１は、上記のように構成された文書処理装置１の機能を表すブロック図である。
文書処理装置１の機能は、文書記憶部１１と、文書危険度算出部（文書危険度算出手段）１２と、キーワード記憶部１３と、ディレクトリ危険度算出部（ディレクトリ危険度算出手段）１４と、ディレクトリ状態特定部（ディレクトリ状態特定手段）１５と、状態記憶部１６と、文書状態特定部（文書状態特定手段）１７と、危険文書通知部（危険文書通知手段）１８と、危険ディレクトリ通知部（危険ディレクトリ通知手段）１９と、指示情報受付部（指示情報受付手段）２０と、配置処理実行部（配置処理実行手段）２１と、配置処理抑制部（第１の配置処理抑制手段、及び、第２の配置処理抑制手段）２２と、を含む。なお、文書記憶部１１、キーワード記憶部１３、及び、状態記憶部１６のそれぞれは、記憶装置により実現される機能である。
【００２１】
文書記憶部１１は、ファイルシステムを構成する複数のディレクトリの１つに配置されたファイルとしての文書（文書を表す文書情報）を記憶する。文書は、文字列を含む。なお、文書処理装置１は、メタデータとして文字列を含み、且つ、静止画像又は動画像を表す画像情報を文書として用いるように構成されていてもよい。
【００２２】
文書危険度算出部１２は、文書記憶部１１に記憶されている文書のそれぞれに対して、当該文書に含まれる情報の漏えいしやすさを表す危険度（文書危険度）を算出する。本例では、文書危険度算出部１２は、上述した特許文献１に記載の方法を用いて文書危険度を算出する。
【００２３】
具体的には、文書危険度算出部１２は、文書が予め設定されたキーワードを含むか否か（キーワードマッチ）という基準と、文書が予め設定された正規表現を含むか否かという基準と、文書が予め設定された画像（例えば、図形、及び、グラフ等）を含むか否かという基準と、文書に対して設定されているアクセス権限と、に基づいて文書危険度を算出する。例えば、文書危険度算出部１２は、文書へのアクセスが許可されたユーザの数が多くなるほど高くなる値を文書危険度として算出する。
【００２４】
キーワード記憶部１３は、ユーザにより入力装置を介して入力されたキーワードを記憶する。キーワード記憶部１３は、キーワードと、補正の方向を表す補正方向情報と、を対応付けて記憶している。補正の方向は、ディレクトリ危険度を大きくする方向、又は、ディレクトリ危険度を小さくする方向、である。
【００２５】
ディレクトリ危険度算出部１４は、ファイルシステムを構成する複数のディレクトリのそれぞれに対して、当該ディレクトリに配置された文書からの情報の漏えいしやすさを表す危険度（ディレクトリ危険度）を算出する。
【００２６】
本例では、先ず、ディレクトリ危険度算出部１４は、ディレクトリ危険度を算出する処理の対象となるディレクトリに配置された文書に対して文書危険度算出部１２によって算出された文書危険度の平均値を、当該ディレクトリに対するディレクトリ危険度として算出する。
【００２７】
更に、ディレクトリ危険度算出部１４は、ディレクトリの名前が、キーワード記憶部１３に記憶されているキーワードを含む場合、当該ディレクトリに対して算出されたディレクトリ危険度を補正する。ディレクトリ危険度算出部１４は、キーワードと対応付けて記憶されている補正方向情報が表す補正の方向に従ってディレクトリ危険度を補正する。本例では、ディレクトリ危険度算出部１４は、予め設定された補正量だけディレクトリ危険度を補正する（増加又は減少させる）。
【００２８】
ところで、ディレクトリの状態は、当該ディレクトリの名前と強い相関を有する。従って、このように文書処理装置１を構成することにより、高い精度にてディレクトリ危険度を算出することができる。
【００２９】
更に、ディレクトリ危険度算出部１４は、ディレクトリに対して算出されるディレクトリ危険度を、権限度に基づいて補正する。権限度は、ディレクトリに対して設定され、且つ、当該ディレクトリに配置された文書へのアクセスしやすさを表す値である。
【００３０】
本例では、権限度は、当該ディレクトリへのアクセスが許可されたユーザの数を、文書処理装置１を利用するユーザの総数により除した値である。即ち、権限度は、０から１までの実数である。権限度が大きくなることは、当該ディレクトリへのアクセスが許可されたユーザの数が多くなることに対応している。
【００３１】
具体的には、先ず、ディレクトリ危険度算出部１４は、ファイルシステムを構成する複数のディレクトリのそれぞれに対して権限度を算出する。そして、ディレクトリ危険度算出部１４は、ディレクトリに対して算出（補正）されたディレクトリ危険度に、当該ディレクトリに対して算出された権限度を乗じた値に、当該ディレクトリ危険度を補正する。これにより、ディレクトリ危険度は、アクセスが許可されたユーザの数が少ないディレクトリに対するディレクトリ危険度ほど小さくなるように補正される。
【００３２】
ところで、ディレクトリの状態は、当該ディレクトリに配置された文書へのアクセスしやすさと強い相関を有する。従って、このように文書処理装置１を構成することにより、高い精度にてディレクトリ危険度を算出することができる。
【００３３】
更に、ディレクトリ危険度算出部１４は、ディレクトリに対して算出されるディレクトリ危険度を、当該ディレクトリの上位のディレクトリに対して算出されるディレクトリ危険度に基づいて補正する。
【００３４】
具体的には、ディレクトリ危険度算出部１４は、最上位のディレクトリから下位へ向かって順に、各ディレクトリに対して、補正処理を行う。この補正処理は、補正処理の対象となるディレクトリに対して算出されたディレクトリ危険度（対象危険度）が、当該ディレクトリの上位のディレクトリに対して算出されたディレクトリ危険度（上位危険度）よりも小さい場合に、対象危険度を上位危険度と同じ値に補正する処理である。
【００３５】
ところで、ディレクトリの状態は、当該ディレクトリの上位のディレクトリの状態と強い相関を有する。従って、このように文書処理装置１を構成することにより、高い精度にてディレクトリ危険度を算出することができる。
【００３６】
ディレクトリ状態特定部１５は、ファイルシステムを構成する複数のディレクトリのそれぞれに対して、当該ディレクトリの状態が、危険状態、安全状態、及び、中間状態のいずれであるかを、ディレクトリ危険度算出部１４により算出されたディレクトリ危険度に基づいて特定する。
【００３７】
危険状態は、ディレクトリに配置された文書から情報が漏えいしやすい状態である。安全状態は、ディレクトリに配置された文書から情報が漏えいしにくい状態である。中間状態は、危険状態及び安全状態以外の状態である。
【００３８】
本例では、ディレクトリ状態特定部１５は、ディレクトリに対して算出されたディレクトリ危険度が、予め設定された第１の閾値（本例では、０．８）よりも大きい場合、当該ディレクトリの状態が危険状態であると特定する。また、ディレクトリ状態特定部１５は、ディレクトリに対して算出されたディレクトリ危険度が、予め設定された第２の閾値（本例では、０．２）よりも小さい場合、当該ディレクトリの状態が安全状態であると特定する。第２の閾値は、第１の閾値よりも小さい値である。
【００３９】
状態記憶部１６は、ディレクトリ状態特定部１５により特定されたディレクトリの状態を表すディレクトリ状態情報を記憶する。
【００４０】
文書状態特定部１７は、文書記憶部１１に記憶されている文書のそれぞれに対して、当該文書の状態が、危険状態、及び、非危険状態、のいずれであるかを、ディレクトリ状態特定部１５により特定されたディレクトリの状態と、文書危険度算出部１２により算出された文書危険度と、に基づいて特定する。危険状態は、文書から情報が漏えいしやすい状態である。非危険状態は、危険状態以外の状態である。
【００４１】
具体的には、文書状態特定部１７は、第１の条件〜第３の条件のいずれか１つが成立する場合、状態を特定する処理の対象となる文書（処理対象文書）の状態が危険状態であると特定し、第１の条件〜第３の条件のいずれもが成立しない場合、処理対象文書の状態が非危険状態であると特定する。
【００４２】
第１の条件は、処理対象文書が配置されたディレクトリの状態が、危険状態又は中間状態であると特定され、且つ、処理対象文書に対して算出された文書危険度が、当該ディレクトリに対して算出されたディレクトリ危険度よりも大きい、という条件である。
第２の条件は、処理対象文書が配置されたディレクトリの状態が、危険状態であると特定された、という条件である。
第３の条件は、処理対象文書に対して算出された文書危険度が予め設定された文書危険閾値（本例では、０．９）よりも大きい、という条件である。
【００４３】
状態記憶部１６は、文書状態特定部１７により特定された文書の状態を表す文書状態情報を記憶する。
【００４４】
危険文書通知部１８は、状態記憶部１６に記憶されている文書状態情報に基づいて、状態が危険状態であると文書状態特定部１７により特定された文書をユーザに通知する。具体的には、危険文書通知部１８は、状態が危険状態であると特定された文書を特定するための情報（例えば、ファイルのパス等）と、状態が危険状態である旨を表す情報と、を対応付けて出力装置を介して出力する。これによれば、状態が危険状態である文書をユーザに認識させることができる。この結果、ユーザの利便性を向上させることができる。
【００４５】
危険ディレクトリ通知部１９は、状態記憶部１６に記憶されているディレクトリ状態情報に基づいて、状態が危険状態であるとディレクトリ状態特定部１５により特定されたディレクトリをユーザに通知する。
【００４６】
具体的には、危険ディレクトリ通知部１９は、状態が危険状態であると特定されたディレクトリを特定するための情報（例えば、ディレクトリのパス等）と、状態が危険状態である旨を表す情報と、を対応付けて出力装置を介して出力する。これによれば、状態が危険状態であるディレクトリをユーザに認識させることができる。この結果、ユーザの利便性を向上させることができる。
【００４７】
指示情報受付部２０は、ユーザにより入力装置を介して入力された指示情報を受け付ける。指示情報は、配置文書としての文書を複数のディレクトリの１つである配置先ディレクトリに新たに配置する旨を指示する情報である。
【００４８】
配置処理実行部２１は、指示情報受付部２０により指示情報が受け付けられた場合、配置文書を配置先ディレクトリに新たに配置するための配置処理を実行する。具体的には、配置処理実行部２１は、配置先ディレクトリに配置されたファイルとしての配置文書を文書記憶部１１に記憶させる処理を配置処理として実行する。
【００４９】
配置処理抑制部２２は、配置文書の状態が危険状態であると特定され、且つ、配置先ディレクトリの状態が危険状態又は中間状態であると特定された場合、配置処理実行部２１による配置処理の実行を抑制（本例では、禁止）する。
これによれば、状態が危険状態である文書が増加することを防止することができる。
【００５０】
更に、配置処理抑制部２２は、配置先ディレクトリの状態が危険状態であると特定された場合、配置処理実行部２１による配置処理の実行を抑制（本例では、禁止）する。
これによれば、状態が危険状態である文書が増加することを防止することができる。
【００５１】
加えて、配置処理抑制部２２は、配置処理の実行を抑制した場合に、その旨をユーザに通知する。具体的には、配置処理抑制部２２は、配置処理の実行を抑制した場合に、その旨を表す抑制通知情報を出力装置を介して出力する。
【００５２】
（作動）
次に、上述した文書処理装置１の作動について説明する。
文書処理装置１のＣＰＵは、図２にフローチャートにより示した権限度算出プログラムを実行するようになっている。
【００５３】
具体的に述べると、文書処理装置１は、権限度算出プログラムの処理を開始すると、ユーザにより入力装置を介して入力されたキーワード及び補正方向情報を受け付ける。そして、文書処理装置１は、受け付けたキーワード及び補正方向情報を互いに対応付けて記憶装置に記憶させる（即ち、キーワードを設定する）（ステップＳ１０１）。
【００５４】
次いで、文書処理装置１は、ユーザにより入力装置を介して入力され、且つ、ファイルシステムを構成する複数のディレクトリのそれぞれに対するアクセス権限を表すアクセス権限情報を受け付ける。そして、文書処理装置１は、受け付けたアクセス権限情報を記憶装置に記憶させる（即ち、アクセス権限を設定する）（ステップＳ１０２）。
【００５５】
そして、文書処理装置１は、記憶されているアクセス権限情報に基づいて、ファイルシステムを構成する複数のディレクトリのそれぞれに対して権限度を算出する（ステップＳ１０３）。例えば、図３の（Ａ）に示したように、文書処理装置１は、ディレクトリＡに対する権限度として０．９を算出する。
その後、文書処理装置１は、権限度算出プログラムの処理を終了する。
【００５６】
更に、文書処理装置１のＣＰＵは、図４にフローチャートにより示した状態特定プログラムを実行するようになっている。
【００５７】
具体的に述べると、文書処理装置１は、状態特定プログラムの処理を開始すると、記憶装置に記憶されている文書のそれぞれに対して、文書危険度を算出する（ステップＳ２０１）。例えば、文書処理装置１は、図３の（Ｂ）に示したように、ディレクトリＡに配置された文書１に対する文書危険度として０．７を算出し、文書２に対する文書危険度として０．５を算出する。
【００５８】
次いで、文書処理装置１は、ファイルシステムを構成する複数のディレクトリのそれぞれに対して、当該ディレクトリに配置された文書に対して算出された文書危険度の平均値を、当該ディレクトリに対するディレクトリ危険度として算出する（ステップＳ２０２）。例えば、文書処理装置１は、図３の（Ｂ）に示したように、ディレクトリＡに対するディレクトリ危険度として０．８を算出する。
【００５９】
次いで、文書処理装置１は、ファイルシステムを構成する複数のディレクトリのそれぞれに対して、当該ディレクトリの名前と、記憶装置に記憶されているキーワード及び補正方向情報と、に基づいて、ステップＳ２０２にて算出されたディレクトリ危険度を補正する（ステップＳ２０３）。
【００６０】
次いで、文書処理装置１は、ファイルシステムを構成する複数のディレクトリのそれぞれに対して、ステップＳ２０３にて補正されたディレクトリ危険度を、当該ディレクトリに対して算出された権限度に基づいて補正する（ステップＳ２０４）。例えば、文書処理装置１は、図３の（Ｃ）に示したように、ディレクトリＡに対するディレクトリ危険度として０．７２を算出する。
【００６１】
そして、文書処理装置１は、ファイルシステムを構成する複数のディレクトリのそれぞれに対して、ステップＳ２０４にて補正されたディレクトリ危険度を、当該ディレクトリの上位のディレクトリに対して算出されたディレクトリ危険度に基づいて補正する（ステップＳ２０５）。
【００６２】
次いで、文書処理装置１は、ファイルシステムを構成する複数のディレクトリのそれぞれに対して、当該ディレクトリの状態が、危険状態、安全状態、及び、中間状態のいずれであるかを、ステップＳ２０５にて補正されたディレクトリ危険度に基づいて特定する（ステップＳ２０６）。
【００６３】
いま、図５に示したように、ディレクトリＡに対するディレクトリ危険度が０．９であり、ディレクトリＢに対するディレクトリ危険度が０．０８であり、ディレクトリＣに対するディレクトリ危険度が０．５である場合を想定する。また、上述したように、第１の閾値が０．８であり、第２の閾値が０．２である場合を想定する。この場合、文書処理装置１は、ディレクトリＡの状態が危険状態であり、ディレクトリＢの状態が安全状態であり、ディレクトリＣの状態が中間状態である、と特定する。
【００６４】
そして、文書処理装置１は、記憶装置に記憶されている文書のそれぞれに対して、当該文書の状態が、危険状態、及び、非危険状態、のいずれであるかを、ステップＳ２０６にて特定されたディレクトリの状態と、ステップＳ２０１にて算出された文書危険度と、に基づいて特定する（ステップＳ２０７）。
【００６５】
いま、図５に示したように、文書１０に対する文書危険度が１．０であり、文書２８に対する文書危険度が０．７である場合を想定する。また、上述したように、文書危険閾値が０．９である場合を想定する。
【００６６】
この場合、文書処理装置１は、状態が危険状態であるディレクトリＡに配置されているため、文書１〜文書９のそれぞれの状態が危険状態であると特定する。更に、文書処理装置１は、文書危険度が文書危険閾値よりも大きいため、文書１０の状態が危険状態であると特定する。加えて、文書処理装置１は、状態が中間状態であるディレクトリＣに配置され、且つ、ディレクトリＣのディレクトリ危険度よりも文書危険度が大きいため、文書２８の状態が危険状態であると特定する。
【００６７】
次いで、文書処理装置１は、ステップＳ２０７にて、状態が危険状態であると特定された文書をユーザに通知する（ステップＳ２０８）。そして、文書処理装置１は、ステップＳ２０６にて、状態が危険状態であると特定されたディレクトリをユーザに通知する（ステップＳ２０９）。その後、文書処理装置１は、状態特定プログラムの処理を終了する。
【００６８】
更に、文書処理装置１のＣＰＵは、図６にフローチャートにより示した配置処理実行プログラムを実行するようになっている。
【００６９】
具体的に述べると、文書処理装置１は、配置処理実行プログラムの処理を開始すると、指示情報を受け付けるまで待機する（ステップＳ３０１）。そして、文書処理装置１は、ユーザにより入力された指示情報を受け付けると、「Ｙｅｓ」と判定してステップＳ３０２へ進む。
【００７０】
次いで、文書処理装置１は、指示情報が表す配置先ディレクトリの状態が危険状態であると特定されたか否かを判定する（ステップＳ３０２）。
いま、配置先ディレクトリの状態が危険状態であると特定された場合を想定する。この場合、文書処理装置１は、「Ｙｅｓ」と判定してステップＳ３０４へ進み、抑制通知情報を出力装置を介して出力する。
【００７１】
そして、文書処理装置１は、配置処理を実行することなくステップＳ３０１へ戻り、ステップＳ３０１〜ステップＳ３０５の処理を繰り返し実行する。
【００７２】
次に、配置先ディレクトリの状態が危険状態でないと特定された場合を想定する。この場合、文書処理装置１は、ステップＳ３０２にて「Ｎｏ」と判定してステップＳ３０３へ進む。
【００７３】
そして、文書処理装置１は、配置先ディレクトリの状態が中間状態であると特定され、且つ、配置文書の状態が危険状態であると特定されたか否かを判定する（ステップＳ３０３）。
いま、配置先ディレクトリの状態が中間状態であると特定され、且つ、配置文書の状態が危険状態であると特定された場合を想定する。この場合、文書処理装置１は、「Ｙｅｓ」と判定してステップＳ３０４へ進み、抑制通知情報を出力装置を介して出力する。
【００７４】
そして、文書処理装置１は、配置処理を実行することなくステップＳ３０１へ戻り、ステップＳ３０１〜ステップＳ３０５の処理を繰り返し実行する。
【００７５】
次に、配置先ディレクトリの状態が安全状態であると特定された場合、又は、配置文書の状態が非危険状態であると特定された場合、を想定する。この場合、文書処理装置１は、ステップＳ３０３にて「Ｎｏ」と判定してステップＳ３０５へ進む。
【００７６】
そして、文書処理装置１は、配置処理を実行する。その後、文書処理装置１は、ステップＳ３０１へ戻り、ステップＳ３０１〜ステップＳ３０５の処理を繰り返し実行する。
【００７７】
以上、説明したように、本発明の第１実施形態に係る文書処理装置１によれば、情報が漏えいしにくいディレクトリに配置されている文書であっても、文書危険度が比較的高い場合には、当該文書の状態が、情報が漏えいしやすい危険状態である、と特定することができる。即ち、状態が危険状態である文書を高い精度にて特定することができる。
【００７８】
更に、第１実施形態に係る文書処理装置１は、ディレクトリの状態が、危険状態又は中間状態であると特定された場合において、当該ディレクトリに配置された文書に対して算出された文書危険度が、当該ディレクトリに対して算出された前記ディレクトリ危険度よりも大きいとき、当該文書の状態が危険状態であると特定する。
【００７９】
ところで、ディレクトリの状態が安全状態でない場合において、当該ディレクトリに配置された文書の文書危険度が当該ディレクトリのディレクトリ危険度よりも大きいとき、当該文書から情報が漏えいしやすい。従って、文書処理装置１によれば、状態が危険状態である文書を高い精度にて特定することができる。
【００８０】
更に、第１実施形態に係る文書処理装置１は、ディレクトリの状態が、危険状態であると特定された場合、当該ディレクトリに配置された文書の状態が危険状態であると特定する。
ところで、ディレクトリの状態が危険状態である場合、ディレクトリに配置された文書から情報が漏えいしやすい。従って、文書処理装置１によれば、状態が危険状態である文書を高い精度にて特定することができる。
【００８１】
更に、第１実施形態に係る文書処理装置１は、文書に対して算出された文書危険度が予め設定された文書危険閾値よりも大きい場合、当該文書の状態が危険状態であると特定する。
ところで、文書が配置されたディレクトリの状態にかかわらず、文書危険度が比較的大きい文書から、情報が漏えいしやすい。従って、文書処理装置１によれば、状態が危険状態である文書を高い精度にて特定することができる。
【００８２】
なお、第１実施形態の変形例に係る文書処理装置１の機能は、危険文書通知部１８及び危険ディレクトリ通知部１９を含んでいなくてもよい。また、第１実施形態の変形例に係る文書処理装置１の機能は、配置処理抑制部２２を含んでいなくてもよい。
【００８３】
＜第２実施形態＞
次に、本発明の第２実施形態に係る文書処理装置について図７を参照しながら説明する。
第２実施形態に係る文書処理装置１００は、階層構造を有する複数のディレクトリを含むファイルシステムを有するとともに、当該複数のディレクトリの１つに配置された文書を記憶する記憶装置を備える装置である。
【００８４】
更に、この文書処理装置１００は、
上記文書に対して、当該文書に含まれる情報の漏えいしやすさを表す危険度である文書危険度を算出する文書危険度算出部（文書危険度算出手段）１０１と、
上記ディレクトリに対して、当該ディレクトリに配置された文書からの情報の漏えいしやすさを表す危険度であるディレクトリ危険度を算出するディレクトリ危険度算出部（ディレクトリ危険度算出手段）１０２と、
上記ディレクトリの状態が、当該ディレクトリに配置された文書から情報が漏えいしやすい状態である危険状態、当該ディレクトリに配置された文書から情報が漏えいしにくい状態である安全状態、及び、当該危険状態及び当該安全状態以外の状態である中間状態、のいずれであるかを、上記算出されたディレクトリ危険度に基づいて特定するディレクトリ状態特定部（ディレクトリ状態特定手段）１０３と、
上記文書の状態が、当該文書から情報が漏えいしやすい状態である危険状態、及び、当該危険状態以外の状態である非危険状態、のいずれであるかを、上記特定されたディレクトリの状態と、上記算出された文書危険度と、に基づいて特定する文書状態特定部（文書状態特定手段）１０４と、
を備える。
【００８５】
これによれば、情報が漏えいしにくいディレクトリに配置されている文書であっても、文書危険度が比較的高い場合には、当該文書の状態が、情報が漏えいしやすい危険状態である、と特定することができる。即ち、状態が危険状態である文書を高い精度にて特定することができる。
【００８６】
以上、上記実施形態を参照して本願発明を説明したが、本願発明は、上述した実施形態に限定されるものではない。本願発明の構成及び詳細に、本願発明の範囲内において当業者が理解し得る様々な変更をすることができる。
【００８７】
なお、上記各実施形態において文書処理装置の各機能は、ＣＰＵがプログラム（ソフトウェア）を実行することにより実現されていたが、回路等のハードウェアにより実現されていてもよい。
【００８８】
また、上記各実施形態においてプログラムは、記憶装置に記憶されていたが、コンピュータが読み取り可能な記録媒体に記憶されていてもよい。例えば、記録媒体は、フレキシブルディスク、光ディスク、光磁気ディスク、及び、半導体メモリ等の可搬性を有する媒体である。
【００８９】
また、上記実施形態の他の変形例として、上述した実施形態及び変形例の任意の組み合わせが採用されてもよい。
【００９０】
＜付記＞
上記実施形態の一部又は全部は、以下の付記のように記載され得るが、以下には限られない。
【００９１】
（付記１）
階層構造を有する複数のディレクトリを含むファイルシステムを有するとともに、当該複数のディレクトリの１つに配置された文書を記憶する記憶装置を備える文書処理装置であって、
前記文書に対して、当該文書に含まれる情報の漏えいしやすさを表す危険度である文書危険度を算出する文書危険度算出手段と、
前記ディレクトリに対して、当該ディレクトリに配置された文書からの情報の漏えいしやすさを表す危険度であるディレクトリ危険度を算出するディレクトリ危険度算出手段と、
前記ディレクトリの状態が、当該ディレクトリに配置された文書から情報が漏えいしやすい状態である危険状態、当該ディレクトリに配置された文書から情報が漏えいしにくい状態である安全状態、及び、当該危険状態及び当該安全状態以外の状態である中間状態、のいずれであるかを、前記算出されたディレクトリ危険度に基づいて特定するディレクトリ状態特定手段と、
前記文書の状態が、当該文書から情報が漏えいしやすい状態である危険状態、及び、当該危険状態以外の状態である非危険状態、のいずれであるかを、前記特定されたディレクトリの状態と、前記算出された文書危険度と、に基づいて特定する文書状態特定手段と、
を備える文書処理装置。
【００９２】
これによれば、情報が漏えいしにくいディレクトリに配置されている文書であっても、文書危険度が比較的高い場合には、当該文書の状態が、情報が漏えいしやすい危険状態である、と特定することができる。即ち、状態が危険状態である文書を高い精度にて特定することができる。
【００９３】
（付記２）
付記１に記載の文書処理装置であって、
前記文書状態特定手段は、前記ディレクトリの状態が、前記危険状態又は前記中間状態であると特定された場合において、当該ディレクトリに配置された文書に対して算出された前記文書危険度が、当該ディレクトリに対して算出された前記ディレクトリ危険度よりも大きいとき、当該文書の状態が前記危険状態であると特定するように構成された文書処理装置。
【００９４】
ところで、ディレクトリの状態が安全状態でない場合において、当該ディレクトリに配置された文書の文書危険度が当該ディレクトリのディレクトリ危険度よりも大きいとき、当該文書から情報が漏えいしやすい。従って、上記のように文書処理装置を構成することにより、状態が危険状態である文書を高い精度にて特定することができる。
【００９５】
（付記３）
付記１又は付記２に記載の文書処理装置であって、
前記文書状態特定手段は、前記ディレクトリの状態が、前記危険状態であると特定された場合、当該ディレクトリに配置された文書の状態が前記危険状態であると特定するように構成された文書処理装置。
【００９６】
ところで、ディレクトリの状態が危険状態である場合、ディレクトリに配置された文書から情報が漏えいしやすい。従って、上記のように文書処理装置を構成することにより、状態が危険状態である文書を高い精度にて特定することができる。
【００９７】
（付記４）
付記１乃至付記３のいずれか一項に記載の文書処理装置であって、
前記文書状態特定手段は、前記文書に対して算出された前記文書危険度が予め設定された文書危険閾値よりも大きい場合、当該文書の状態が前記危険状態であると特定するように構成された文書処理装置。
【００９８】
ところで、文書が配置されたディレクトリの状態にかかわらず、文書危険度が比較的大きい文書から、情報が漏えいしやすい。従って、上記のように文書処理装置を構成することにより、状態が危険状態である文書を高い精度にて特定することができる。
【００９９】
（付記５）
付記１乃至付記４のいずれか一項に記載の文書処理装置であって、
状態が前記危険状態であると特定された前記文書をユーザに通知する危険文書通知手段を備える文書処理装置。
【０１００】
これによれば、状態が危険状態である文書をユーザに認識させることができる。この結果、ユーザの利便性を向上させることができる。
【０１０１】
（付記６）
付記１乃至付記５のいずれか一項に記載の文書処理装置であって、
状態が前記危険状態であると特定された前記ディレクトリをユーザに通知する危険ディレクトリ通知手段を備える文書処理装置。
【０１０２】
これによれば、状態が危険状態であるディレクトリをユーザに認識させることができる。この結果、ユーザの利便性を向上させることができる。
【０１０３】
（付記７）
付記１乃至付記６のいずれか一項に記載の文書処理装置であって、
ユーザにより入力され、且つ、配置文書としての前記文書を前記複数のディレクトリの１つである配置先ディレクトリに新たに配置する旨を指示する指示情報を受け付ける指示情報受付手段と、
前記指示情報が受け付けられた場合、前記配置文書を前記配置先ディレクトリに新たに配置するための配置処理を実行する配置処理実行手段と、
を備える文書処理装置。
【０１０４】
（付記８）
付記７に記載の文書処理装置であって、
前記配置文書の状態が前記危険状態であると特定され、且つ、前記配置先ディレクトリの状態が前記危険状態又は前記中間状態であると特定された場合、前記配置処理の実行を抑制する第１の配置処理抑制手段を備える文書処理装置。
【０１０５】
これによれば、状態が危険状態である文書が増加することを防止することができる。
【０１０６】
（付記９）
付記７又は付記８に記載の文書処理装置であって、
前記配置先ディレクトリの状態が前記危険状態であると特定された場合、前記配置処理の実行を抑制する第２の配置処理抑制手段を備える文書処理装置。
【０１０７】
これによれば、状態が危険状態である文書が増加することを防止することができる。
【０１０８】
（付記１０）
付記１乃至付記９のいずれか一項に記載の文書処理装置であって、
前記ディレクトリ危険度算出手段は、前記ディレクトリに配置された前記文書に対して算出された前記文書危険度の平均値を、当該ディレクトリに対する前記ディレクトリ危険度として算出するように構成された文書処理装置。
【０１０９】
（付記１１）
付記１乃至付記１０のいずれか一項に記載の文書処理装置であって、
前記ディレクトリ危険度算出手段は、ユーザにより入力されたキーワードを受け付けるとともに、前記ディレクトリの名前が、当該受け付けられたキーワードを含む場合、当該ディレクトリに対して算出された前記ディレクトリ危険度を補正するように構成された文書処理装置。
【０１１０】
ところで、ディレクトリの状態は、当該ディレクトリの名前と強い相関を有する。従って、上記のように文書処理装置を構成することにより、高い精度にてディレクトリ危険度を算出することができる。
【０１１１】
（付記１２）
付記１乃至付記１１のいずれか一項に記載の文書処理装置であって、
前記ディレクトリ危険度算出手段は、前記ディレクトリに対して算出される前記ディレクトリ危険度を、当該ディレクトリの上位のディレクトリに対して算出される前記ディレクトリ危険度に基づいて補正するように構成された文書処理装置。
【０１１２】
ところで、ディレクトリの状態は、当該ディレクトリの上位のディレクトリの状態と強い相関を有する。従って、上記のように文書処理装置を構成することにより、高い精度にてディレクトリ危険度を算出することができる。
【０１１３】
（付記１３）
付記１乃至付記１２のいずれか一項に記載の文書処理装置であって、
前記ディレクトリ危険度算出手段は、前記ディレクトリに対して算出される前記ディレクトリ危険度を、当該ディレクトリに対して設定され、且つ、当該ディレクトリに配置された前記文書へのアクセスしやすさを表す権限度に基づいて補正するように構成された文書処理装置。
【０１１４】
ところで、ディレクトリの状態は、当該ディレクトリに配置された前記文書へのアクセスしやすさと強い相関を有する。従って、上記のように文書処理装置を構成することにより、高い精度にてディレクトリ危険度を算出することができる。
【０１１５】
（付記１４）
付記１乃至付記１３のいずれか一項に記載の文書処理装置であって、
前記ディレクトリ状態特定手段は、前記ディレクトリに対して算出された前記ディレクトリ危険度が、予め設定された第１の閾値よりも大きい場合、当該ディレクトリの状態が前記危険状態であると特定し、一方、当該ディレクトリ危険度が、予め設定され且つ当該第１の閾値よりも小さい第２の閾値よりも小さい場合、当該ディレクトリの状態が前記安全状態であると特定するように構成された文書処理装置。
【０１１６】
（付記１５）
階層構造を有する複数のディレクトリを含むファイルシステムを有するとともに、当該複数のディレクトリの１つに配置された文書を記憶する記憶装置を備える文書処理装置に適用され、
前記文書に対して、当該文書に含まれる情報の漏えいしやすさを表す危険度である文書危険度を算出し、
前記ディレクトリに対して、当該ディレクトリに配置された文書からの情報の漏えいしやすさを表す危険度であるディレクトリ危険度を算出し、
前記ディレクトリの状態が、当該ディレクトリに配置された文書から情報が漏えいしやすい状態である危険状態、当該ディレクトリに配置された文書から情報が漏えいしにくい状態である安全状態、及び、当該危険状態及び当該安全状態以外の状態である中間状態、のいずれであるかを、前記算出されたディレクトリ危険度に基づいて特定し、
前記文書の状態が、当該文書から情報が漏えいしやすい状態である危険状態、及び、当該危険状態以外の状態である非危険状態、のいずれであるかを、前記特定されたディレクトリの状態と、前記算出された文書危険度と、に基づいて特定する、文書処理方法。
【０１１７】
（付記１６）
付記１５に記載の文書処理方法であって、
前記ディレクトリの状態が、前記危険状態又は前記中間状態であると特定された場合において、当該ディレクトリに配置された文書に対して算出された前記文書危険度が、当該ディレクトリに対して算出された前記ディレクトリ危険度よりも大きいとき、当該文書の状態が前記危険状態であると特定する、文書処理方法。
【０１１８】
（付記１７）
階層構造を有する複数のディレクトリを含むファイルシステムを有するとともに、当該複数のディレクトリの１つに配置された文書を記憶する記憶装置を備える情報処理装置に、
前記文書に対して、当該文書に含まれる情報の漏えいしやすさを表す危険度である文書危険度を算出する文書危険度算出手段と、
前記ディレクトリに対して、当該ディレクトリに配置された文書からの情報の漏えいしやすさを表す危険度であるディレクトリ危険度を算出するディレクトリ危険度算出手段と、
前記ディレクトリの状態が、当該ディレクトリに配置された文書から情報が漏えいしやすい状態である危険状態、当該ディレクトリに配置された文書から情報が漏えいしにくい状態である安全状態、及び、当該危険状態及び当該安全状態以外の状態である中間状態、のいずれであるかを、前記算出されたディレクトリ危険度に基づいて特定するディレクトリ状態特定手段と、
前記文書の状態が、当該文書から情報が漏えいしやすい状態である危険状態、及び、当該危険状態以外の状態である非危険状態、のいずれであるかを、前記特定されたディレクトリの状態と、前記算出された文書危険度と、に基づいて特定する文書状態特定手段と、
を実現させるためのプログラム。
【０１１９】
（付記１８）
付記１７に記載のプログラムであって、
前記文書状態特定手段は、前記ディレクトリの状態が、前記危険状態又は前記中間状態であると特定された場合において、当該ディレクトリに配置された文書に対して算出された前記文書危険度が、当該ディレクトリに対して算出された前記ディレクトリ危険度よりも大きいとき、当該文書の状態が前記危険状態であると特定するように構成されたプログラム。
【産業上の利用可能性】
【０１２０】
本発明は、文書を記憶する記憶装置を備える文書処理装置等に適用可能である。
【符号の説明】
【０１２１】
１      文書処理装置
１１    文書記憶部
１２    文書危険度算出部
１３    キーワード記憶部
１４    ディレクトリ危険度算出部
１５    ディレクトリ状態特定部
１６    状態記憶部
１７    文書状態特定部
１８    危険文書通知部
１９    危険ディレクトリ通知部
２０    指示情報受付部
２１    配置処理実行部
２２    配置処理抑制部
１００  文書処理装置
１０１  文書危険度算出部
１０２  ディレクトリ危険度算出部
１０３  ディレクトリ状態特定部
１０４  文書状態特定部
【図１】
0005521878.tif 000002
【図２】
0005521878.tif 000003
【図３】
0005521878.tif 000004
【図４】
0005521878.tif 000005
【図５】
0005521878.tif 000006
【図６】
0005521878.tif 000007
【図７】
0005521878.tif 000008